(57)【要約】【課題】従来に比べ多くの飲料を容易に販売するとともに、ミキシングボール本体内を十分に洗浄することができる自動販売機の飲料ミキシング装置を提供する。【解決手段】原料投入口５ａと、湯注入口５ｂと、粉末原料と湯を撹拌する撹拌羽根３と、撹拌羽根３を回転駆動するモータ７と、原料投入口５ａから投入された粉末原料と湯注入口５ｂから注入された湯を一時貯留し撹拌羽根３で撹拌後に、これらが混合された飲料を下部から流出する本体容器２と、本体容器２内で所定の液面を超えた飲料を排出する排出手段１１と、撹拌羽根３の回転を正転、逆転方向に制御する回転制御手段とを備える自動販売機の飲料ミキシング装置１において、排出手段１１は、撹拌羽根３が正回転するとき本体容器内の所定の液面を超える飲料を排出し、撹拌羽根３が逆回転するとき本体容器２内の飲料の排出を停止する。【選択図】      図１
2004287866.tif 000002
【特許請求の範囲】
【請求項１】
原料投入口と、湯注入口と、粉末原料と湯を撹拌する撹拌羽根と、撹拌羽根を回転駆動するモータと、原料投入口から投入された粉末原料と湯注入口から注入された湯を一時貯留し撹拌羽根で撹拌後に、これらが混合された飲料を下部から流出する本体容器と、本体容器内で所定の液面を超えた飲料を排出する排出手段と、撹拌羽根の回転を正転、逆転方向に制御する回転制御手段と、を備える自動販売機の飲料ミキシング装置において、排出手段は、撹拌羽根が正回転するとき本体容器内の所定の液面を超える飲料を排出し、撹拌羽根が逆回転するとき本体容器内の飲料の排出を停止することを特徴とする自動販売機の飲料ミキシング装置。
【請求項２】
請求項１に記載の自動販売機の飲料ミキシング装置において、排出手段は、撹拌羽根を上下方向に貫通してその回転軸線を中心とする円筒状に設けられた穿孔部であって、その内側にスクリュー部を有し、スクリュー部は、撹拌羽根が正回転するときその上端から流入する飲料を上方から下方に送出し、撹拌羽根が逆回転するときその上端から流入する飲料を上方に押し戻すように形成されたことを特徴とする自動販売機の飲料ミキシング装置。
【発明の詳細な説明】
【０００１】
【発明の属する技術分野】
本発明は、お茶、コーヒー等の粉末原料を湯水に溶解して販売する自動販売機の飲料ミキシング装置に関するものである。
【０００２】
【従来の技術】
従来のこのような装置としては、例えば特許文献１に記載されるようなものが知られている。この装置は、お茶、コーヒー等の粉末原料を湯水に溶解した飲料をカップ式自動販売機で販売するものであって、図３に示すような飲料ミキシング装置２０のミキシングボール本体２の中に、先ず湯を注ぎ始め、少し遅れて粉末原料を入れ、撹拌羽根３を回転させて粉末原料と湯を撹拌、混合して調合した後、この飲料Ｌを例えば飲料カップ等の販売容器４に注入し、その後、再びミキシングボール本体２に湯を注ぎ、撹拌羽根３を回転させ、ミキシングボール本体２の中に残っている飲料Ｌを洗い流し、これを販売容器４の中に継ぎ足して注入し、適度の濃度の飲料を調合して販売するものである。尚、図中において５ａは粉末原料を投入する投入口、５ｂは湯水を注入する注入口、２ｂはミキシングボール内に発生する湯気の排気口、７は撹拌羽根を駆動するモータ、９はミキシングボール本体２の底部から下方に引き出されて飲料Ｌを販売容器４に導く飲料吐出管を示す。
【０００３】
【特許文献１】
特開２０００‐２９８７６８号公報
【０００４】
【発明が解決しようとする課題】
ところで、このような装置において、最近は顧客要望の多様化により従来の紙カップの他に、さらに大きいサイズの容器でより多くの飲料を販売する必要が生じている。しかし、これに対応するため従来に比べて多い粉末原料と湯を従来のミキシングボール本体内で撹拌、混合させると、ミキシングボール本体からこの撹拌、混合された飲料が溢れ出てしまう。そのため、例えば粉末原料と湯を連続してミキシングボール本体内に供給し、ミキシングボール本体内で撹拌、混合された飲料が所定の液面を超えたとき、これを飲料カップ等の販売容器に排出する飲料排出手段を備える等の対応策が必要となる。ところが、このような飲料排出手段を備えると、販売する飲料の量を容易に多くするとともにミキシングボール本体から飲料が溢れ出ることを防止することができるが、ミキシングボール本体内に洗浄用の湯を注ぐ場合、所定の液面を超える湯が排出されてしまうため、ミキシングボール本体内に洗浄に必要な量の湯を満たすことができない問題が生じる。
【０００５】
本発明は、このような問題を解決し、従来に比べより多くの飲料を容易に販売することができるとともに、ミキシングボール本体内を十分に洗浄することができる自動販売機の飲料ミキシング装置を提供することを目的とするものである。
【０００６】
【課題を解決するための手段】
上記課題を解決するため、請求項１にかかる発明は、原料投入口と、湯注入口と、粉末原料と湯を撹拌する撹拌羽根と、撹拌羽根を回転駆動するモータと、原料投入口から投入された粉末原料と湯注入口から注入された湯を一時貯留し撹拌羽根で撹拌後に、これらが混合された飲料を下部から流出する本体容器と、本体容器内で所定の液面を超えた飲料を排出する排出手段と、撹拌羽根の回転を正転、逆転方向に制御する回転制御手段と、を備える自動販売機の飲料ミキシング装置において、排出手段は、撹拌羽根が正回転するとき本体容器内の所定の液面を超える飲料を排出し、撹拌羽根が逆回転するとき本体容器内の飲料の排出を停止する。
【０００７】
これによれば、攪拌羽根を正回転させて粉末原料と湯を連続してミキシングボール本体内に供給し、ミキシングボール本体内で攪拌、混合された飲料が所定の液面を超えると、これを飲料排出手段により排出して、飲料カップ等の販売容器に注入することができる。また、攪拌羽根を逆回転させてミキシングボール本体内の所定の液面を超える飲料の排出を停止することにより、洗浄に必要な量の湯をミキシングボール本体内の所定の液面を超えて満たすことができる。
請求項２にかかる発明は、請求項１に記載の自動販売機の飲料ミキシング装置において、排出手段は、撹拌羽根を上下方向に貫通してその回転軸線を中心とする円筒状に設けられた穿孔部であって、その内側にスクリュー部を有し、スクリュー部は、撹拌羽根が正回転するときその上端から流入する飲料を上方から下方に送出し、撹拌羽根が逆回転するときその上端から流入する飲料を上方に押し戻すように形成される。
【０００８】
これによれば、撹拌羽が正回転するとき、ミキシングボール本体内で攪拌、混合された飲料が穿孔部の上端を超えると、内側にスクリュー部を有する穿孔部によりこれを攪拌羽根の上方から下方に送出し、さらにこれをミキシングボール本体の下部から排出して販売容器に注入することができる。また、攪拌羽根が逆回転するとき、穿孔部の上端から流入する飲料は上方に押戻されるから、ミキシングボール本体内部の洗浄に必要な湯をミキシングボール本体内に穿孔部の上端を超えて満たすことができる。
【０００９】
【発明の実施の形態】
本発明の実施形態について図を参照して説明する。尚、従来と同等または同様の構成には同じ記号を付す。
図１は本発明の実施形態の自動販売機の飲料ミキシング装置１を示す構成図である。
図１において、２は粉末原料および湯を一時貯留し、撹拌後に下部から流出するミキシングボール本体（本体容器）、２ｂはミキシングボール本体内に発生する湯気を排出する排気口、２ｄはミキシングボール本体内で撹拌、混合された飲料を流出する飲料流出口、３は粉末原料および湯を撹拌する撹拌羽根、４は飲料流出口２ｄから流出した飲料が注入される飲料カップ等の販売容器、５はミキシングボール本体２の蓋、５ａは蓋５に設けられ粉末原料を投入する投入口（原料投入口）、５ｂは蓋５に設けられた湯の注入口（湯注入口）、６は撹拌羽根３にモータ７の動力を伝達する駆動軸、８は粉末原料を投入するシュータ、９はミキシングボール本体２の底部から下方に引き出され販売容器４に飲料を導く飲料吐出管を示す。
【００１０】
ここで、撹拌羽根３はミキシングボール本体２の底部において、その底面２ａと僅かな隙間を設けて飲料流出口２ｄを覆うように配置され、撹拌羽根３を貫通する駆動軸６の下端部はミキシングボール本体２の底部に設けられた軸受部１３に支持されている。
図２は本発明の実施形態の撹拌羽根３を示す斜視図である。
図２に示すように、撹拌羽根３はモータ７の動力を伝達する駆動軸６の下部に、その軸心を中心とする略円錐状の円板体として形成されている。そして、その下面には下方に突出し半径方向に延出して形成された遠心羽根３ａが設けられ、その中央部には駆動軸６の軸心（撹拌羽根の回転軸線）を中心として上下方向に貫通し円筒状に形成された穿孔部１１が設けられている。さらに、穿孔部１１の内側には駆動軸６に巻回されたスクリュー部１２が形成されている。尚、このスクリュー部１２は、駆動軸６の回りに形成された３条の板状螺旋部１２ａからなり、撹拌羽根３が図のＡ方向に回転（正回転）するとき、穿孔部１１の上端から流入する飲料や湯を上方から下方に送出し、撹拌羽根３が図のＢ方向に回転（逆回転）するとき、穿孔部１１の上端から流入する飲料や湯を上方に押し戻すように形成されている。
【００１１】
この飲料ミキシング装置１において、粉末原料と湯を撹拌、混合して飲料Ｌを調合する場合は、図示しない貯留部に貯留されたコーヒー、砂糖、ミルク等の粉末原料が蓋５の投入口５ａからシュータ８を介してミキシングボール本体２に投入されると同時に、図示しない温水タンクから湯が注入口５ｂを通して注入され、図示しないモータ制御部（回転制御手段）によりモータ７が駆動されて撹拌羽根３が図２のＡ方向に回転して粉末原料と湯が撹拌、混合される。この場合、撹拌羽根３の下面に形成された遠心羽根３ａは、撹拌羽根３とミキシングボール本体２の底面２ａとの僅かな隙間に侵入するこの撹拌、混合される飲料Ｌを撹拌羽根３の周外方向に飛散して戻し、これを飲料流出口２ｄに到達させないから、飲料Ｌがミキシングボール本体２の底部に貯留される。
【００１２】
ここで、販売容器４に注ぐ飲料を従来に比べて多くするために、粉末原料および湯を連続してミキシングボール本体２に加えると、撹拌羽根３によって撹拌、混合される飲料Ｌの液面が上昇する。そして、撹拌羽根３の中央部に設けられた穿孔部１１の上端を超えて液面が上昇した飲料Ｌは、穿孔部１１内にその上端から流入し、スクリュー部１２によって下方に送出され、撹拌羽根３の下方のミキシングボール本体２の底部に到達し、さらにミキシングボール本体２の底部に設けられた飲料流出口２ｄから飲料吐出管９に流出して販売容器４に注入される。このように、販売する飲料を従来に比べて多くする場合に、粉末原料および湯を連続してミキシングボール本体２に加えても、穿孔部１１の上端を超えた飲料Ｌは穿孔部１１を通過して飲料吐出管９に流出し、販売容器４に吐出されるから、ミキシングボール本体２から飲料Ｌが溢れ出すことがない。また、粉末原料と湯を必要に応じて加えることができるから、販売容器４に吐出される飲料の量を容易に増やすことができる。
【００１３】
そして所定量の飲料を調合すると、撹拌羽根３の回転が停止し、ミキシングボール本体２の底部に溜まっていた飲料Ｌが、撹拌羽根３とミキシングボール本体２の底面２ａの隙間を通過して飲料吐出管９に流出し販売容器４に導かれる。
その後、温水タンクからミキシングボール本体２に再び湯が注入され、モータ制御部によりモータ７が逆回転方向に駆動されて撹拌羽根３が図２のＢ方向に回転し、ミキシングボール本体２内の洗浄が行われる。ここで、ミキシングボール本体２に注入される湯の液面が上昇して撹拌羽根３の中央部に設けられた穿孔部１１の上端を超え、湯がその上端から穿孔部１１に流入すると、穿孔部１１の内側には撹拌羽根３がＢ方向に回転するとき上端から流入する湯を上方に押し戻すように形成されたスクリュー部１２が設けられているので、穿孔部１１内に流入した湯は上方に押し戻される。すなわち、ミキシングボール本体２内の湯は、穿孔部１１を通過して底部の飲料流出口２ｄに到達しないから、ミキシングボール本体２から流出しない。したがって、ミキシングボール本体２内部の洗浄に必要な湯をミキシングボール本体２内に穿孔部１１の上端を超えて満たすことができる。これにより、ミキシングボール本体２内を十分に洗浄して、ミキシングボール本体２内に残っている飲料Ｌを洗い流すことができる。そして、ミキシングボール本体２内を洗浄すると、撹拌羽根３が停止し、ミキシングボール本体２内に貯留された湯が、撹拌羽根３とミキシングボール本体２の底面２ａの隙間および穿孔部１１を通過して飲料流出口２ｄから飲料吐出管９に流出して販売容器４の中に継ぎ足され、最終的に適度の濃度に調合された所定量の飲料が顧客に販売される。
【００１４】
このように本実施の形態においては、ミキシングボール本体２から飲料が溢れ出ることを防止して販売容器４に吐出する飲料を従来に比べて多くすることができるとともに、ミキシングボール本体２内に洗浄に必要な量の湯を満たしてミキシングボール本体２内を十分に洗浄することができる。
また、本発明の実施形態においては、撹拌羽根３が正回転するときミキシングボール本体２内の所定の液面を超える飲料を排出し、撹拌羽根３が逆回転するときミキシングボール本体２内の飲料の排出を停止する排出手段を、円筒状の穿孔部１１の内側にスクリュー部１２を形成して簡単に構成することにより、安価で品質の良い飲料ミキシング装置を提供することができる。
【００１５】
なお、上述の実施の形態において、排出手段を円筒状の穿孔部１１の内側にスクリュー部１２を形成して構成したが、本発明の排出手段の構成はこれに限らず、本発明の趣旨を包含する範囲で応用変更が可能である。
【００１６】
【発明の効果】
以上説明したように請求項１に係る発明によれば、攪拌羽根を正回転させて粉末原料と湯を連続してミキシングボール本体内に供給し、ミキシングボール本体内で攪拌、混合された飲料が所定の液面を超えると、これを飲料排出手段により排出して、飲料カップ等の販売容器に注入することができる。また、攪拌羽根を逆回転させてミキシングボール本体内の飲料の排出を停止することにより、洗浄に必要な量の湯をミキシングボール本体内の所定の液面を超えて満たすことができる。したがって、これにより販売容器に吐出する飲料を従来に比べて多くする場合にミキシングボール本体から飲料が溢れ出ることを防止することができるとともに、ミキシングボール本体内に洗浄に必要な量の湯を満たしてミキシングボール本体内を十分に洗浄することができる。
【００１７】
請求項２に係る発明によれば、撹拌羽が正回転するとき、ミキシングボール本体内で攪拌、混合された飲料が穿孔部の上端を超えると、内側にスクリュー部を有する穿孔部によりこれを攪拌羽根の上方から下方に送出し、さらにこれをミキシングボール本体の下部から排出して販売容器に注入することができる。また、攪拌羽根が逆回転するとき、穿孔部の上端から流入する飲料は上方に押戻されるから、ミキシングボール本体内部の洗浄に必要な湯をミキシングボール本体内に穿孔部の上端を超えて満たすことができる。したがって、これにより撹拌羽根が正回転するときミキシングボール本体内の所定の液面を超える飲料を排出し、撹拌羽根が逆回転するときミキシングボール本体内の飲料の排出を停止する排出手段を、簡単に構成することができて、安価で品質の良い飲料ミキシング装置を提供することができる。
【図面の簡単な説明】
【図１】本発明の実施形態の自動販売機の飲料ミキシング装置を示す構成図である。
【図２】本発明の実施形態の撹拌羽根を示す斜視図である。
【図３】従来の実施形態の自動販売機の飲料ミキシング装置を示す構成図である。
【符号の説明】
１  飲料ミキシング装置
２  ミキシングボール本体（本体容器）
３  撹拌羽根
５ａ  投入口（原料投入口）
５ｂ  注入口（湯注入口）
７  モータ
１１  穿孔部
１２  スクリュー部
【図１】
2004287866.tif 000003
【図２】
2004287866.tif 000004
【図３】
2004287866.tif 000005